(57)【要約】  【課題】  従来技術は、大掛かりな足場の組立て等の装置や作業が必要であったため、その作業に時間が掛るとともに一度完成してしまうとその変更や改修が難しい課題があった。  【解決手段】  この発明の一対のワイヤー支持部１、１と、一端側を固定し他端側にワイヤー巻取り装置２を設けるとともに一対のワイヤー支持部１、１の間に移動可能に架設される主ワイヤー３と、主ワイヤー３の上部に載置して主ワイヤーの下方面を覆うシート４とからなる施工・養生テントにおいて、ワイヤー巻取り装置２は、一対のワイヤー支持部１、１の間に弛ませた主ワイヤー３を巻き取り、該ワイヤー支持部１、１間で主ワイヤー３を張設する装置であり、シート４は、弛ませた主ワイヤー３に載置され、主ワイヤー３の張設により展開される施工・養生テントによって解決する。【選択図】  図１
2006161336.tif 000002
【特許請求の範囲】
【請求項１】
一対のワイヤー支持部と、一端側を固定し他端側にワイヤー巻取り装置を設けるとともに一対のワイヤー支持部の間に移動可能に架設される主ワイヤーと、主ワイヤーの上部に載置して主ワイヤーの下方面を覆うシートとからなる施工・養生テントにおいて、
ワイヤー巻取り装置は、一対のワイヤー支持部の間に弛ませた主ワイヤーを巻き取り、該ワイヤー支持部間で主ワイヤーを張設する装置であり、
シートは、弛ませた主ワイヤーに載置され、主ワイヤーの張設により展開されることを特徴とする施工・養生テント。
【請求項２】
一対のワイヤー支持部と、一端側を固定し他端側にワイヤー巻取り装置を設けるとともに一対のワイヤー支持部の間に移動可能に架設される主ワイヤーと、主ワイヤーとほぼ直角方向で、且つ主ワイヤーの上部に設ける補助ワイヤーと、主ワイヤー及び補助ワイヤーの上部に載置して主ワイヤー及び補助ワイヤーの下方面を覆うシートとからなる施工・養生テントにおいて、
ワイヤー巻取り装置は、一対のワイヤー支持部の間に弛ませた主ワイヤーを巻き取り、該ワイヤー支持部間で主ワイヤーを張設する装置であり、
シートは、弛ませた主ワイヤーに載置され、主ワイヤーの張設により展開されることを特徴とする施工・養生テント。
【請求項３】
少なくとも一方に滑車を設け主ワイヤーを移動可能に掛け渡し可能な一対のワイヤー支持部と、一端側を固定し他端側にワイヤー巻取り装置を設けるとともに一対のワイヤー支持部の間に移動可能に架設される主ワイヤーと、主ワイヤーの上部に載置して主ワイヤーの下方面を覆うシートとからなる施工・養生テントにおいて、
ワイヤー巻取り装置は、一対のワイヤー支持部の間に弛ませた主ワイヤーを巻き取り、該ワイヤー支持部間で主ワイヤーを張設する装置であり、
シートは、弛ませた主ワイヤーに載置され、主ワイヤーの張設により展開されることを特徴とする施工・養生テント。
【発明の詳細な説明】
【技術分野】
【０００１】
この発明は、道路工事、道路の拡幅工事などにおいて、工事作業や、まだ硬化していない養生中のコンクリート、セメント、アスファルト、ウレタンフォーム、塗装等を雨、雪、風などからの影響を受けずに作業を行うために設ける施工・養生テントに関する。
【背景技術】
【０００２】
従来、道路工事ではコンクリート、セメント、アスファルトなどの道路表面の他、道路の下層基礎材として、ウレタンフォーム、スチレンフォーム等の素材を使用している。そしてこれらの素材は、流動性がある状態で一定の場所に流し込まれ、それを一定の期間養生させ固化させている。この素材の養生期間中に雨、雪、風などから該素材を守る為に養生テントを設けていた。また、これらの工事作業中においても同様に雨、雪、風などから作業者を保護するために施工・養生テントを設けていた
【０００３】
また、山岳地帯などの道路の拡幅工事等では、一般的に拡幅する側に鉄筋コンクリート製の側壁を作り、その側壁と道路の間に、コンクリート、ウレタン樹脂などの充填素材を流し込み、それぞれ養生期間をおいて硬化させた後、更にその上層に同様な作業を何回かに分けて行い、道路を拡幅をしていた。
【０００４】
そして、施工・養生テント、或は施工・養生シートの従来技術としては、山岳地帯などにおいて側壁を作る場合は、予め側壁用の足場を組んでおり、その足場に単管を掛け渡しその両端を足場に固定した後に、ブルーシート等の３ｍ×５ｍ程度のシートを現場の広さに対応した複数枚単管の上に乗せて施工・養生テントを構成していた（従来技術１）。
【０００５】
また、「建築現場の施工・養生テント」として特開２００１−１８２３３０号公報（従来技術２、特許文献１）に「足場の相対向している支柱から延設されたポールの間に架設されたロープと、外縁部に前記足場又は建築物の躯体との留め付け手段を有する天幕と、前記ロープに前記天幕を該ロープに沿ってスライド自在に吊着する吊着手段とを備え、前記天幕が、外縁部が足場又は建築物の躯体に留め付けられて凸型を形成するように張設される建築現場の施工・養生テント」との記載がある。
【０００６】
更に、「建築現場用テント」として特開２００４−６０３０２号公報（従来技術３、特許文献２）に「建築現場の足場間に架設される親ワイヤーと、該親ワイヤーに、長さの異なる複数の吊り下げ手段を介して吊持される棟ワイヤーと、該棟ワイヤーの長さ方向の両側に、該棟ワイヤーに沿って張設される脇ワイヤーと、前記棟ワイヤー及び前記脇ワイヤーに支持され、マンサード型の形状に張設される天幕とを備えた建築現場用テント」との記載がある。
【特許文献１】特開２００１−１８２３３０号公報
【特許文献２】特開２００４−６０３０２号公報
【発明の開示】
【発明が解決しようとする課題】
【０００７】
しかし、従来技術１の様な養生テントでは、側壁用の足場を利用しているため、道路拡幅工事のように側壁の立設後に行う工事であるウレタン樹脂を注入する作業において、その足場が利用できない場合があった。例えば、側壁組立ての請負会社と、ウレタン樹脂注入請負会社が異なる場合、側壁立設後に、その工事を請け負った会社が他の現場で足場が必要な場合は、側壁用の足場は解体して取り外してしまう。そのため、その側壁の立設後にウレタン樹脂注入会社が行う注入作業時においては、施工・養生テントを設けるためにわざわざ作業道路の両側に足場を組立て、施工・養生テントを設ける必要があった。
【０００８】
また、従来技術１のように足場に単管を掛け渡し、その上にシートを乗せる構成であると、シートの弛みの中に雨水等が溜まりやすく、シートが崩れやすいという課題があった。
【０００９】
更に、特許文献１や特許文献２は、架設されるロープや親ワイヤーから留め付け手段や吊り下げ手段等を介して天幕状のテントを形成するもので、組立てや解体の作業に手間や時間が掛る課題があった。また、これらの特許文献１や特許文献２に掛るテントの組み立てには、事前に両側に足場状のものを組立てる必要があった。
【００１０】
従来技術１乃至３は、大掛かりな足場の組立て等の装置や作業が必要であったため、その作業に時間が掛るとともに一度完成してしまうとその変更や改修が難しい課題があった。更に、解体作業も作業時間や多くの作業者が必要である課題があった。
【課題を解決するための手段】
【００１１】
上記の課題を解決するため、一対のワイヤー支持部と、一端側を固定し他端側にワイヤー巻取り装置を設けるとともに一対のワイヤー支持部の間に移動可能に架設される主ワイヤーと、主ワイヤーの上部に載置して主ワイヤーの下方面を覆うシートとからなる施工・養生テントにおいて、
ワイヤー巻取り装置は、一対のワイヤー支持部の間に弛ませた主ワイヤーを巻き取り、該ワイヤー支持部間で主ワイヤーを張設する装置であり、
シートは、弛ませた主ワイヤーに載置され、主ワイヤーの張設により展開されることを特徴とする施工・養生テントを提案する。
【００１２】
また、一対のワイヤー支持部と、一端側を固定し他端側にワイヤー巻取り装置を設けるとともに一対のワイヤー支持部の間に移動可能に架設される主ワイヤーと、主ワイヤーとほぼ直角方向で、且つ主ワイヤーの上部に設ける補助ワイヤーと、主ワイヤー及び補助ワイヤーの上部に載置して主ワイヤー及び補助ワイヤーの下方面を覆うシートとからなる施工・養生テントにおいて、
ワイヤー巻取り装置は、一対のワイヤー支持部の間に弛ませた主ワイヤーを巻き取り、該ワイヤー支持部間で主ワイヤーを張設する装置であり、
シートは、弛ませた主ワイヤーに載置され、主ワイヤーの張設により展開されることを特徴とする施工・養生テントを提案する。
【００１３】
更に、少なくとも一方に滑車を設け主ワイヤーを移動可能に掛け渡し可能な一対のワイヤー支持部と、一端側を固定し他端側にワイヤー巻取り装置を設けるとともに一対のワイヤー支持部の間に移動可能に架設される主ワイヤーと、主ワイヤーの上部に載置して主ワイヤーの下方面を覆うシートとからなる施工・養生テントにおいて、
ワイヤー巻取り装置は、一対のワイヤー支持部の間に弛ませた主ワイヤーを巻き取り、該ワイヤー支持部間で主ワイヤーを張設する装置であり、
シートは、弛ませた主ワイヤーに載置され、主ワイヤーの張設により展開されることを特徴とする施工・養生テントを提案する。
【発明の効果】
【００１４】
この発明によれば、道路工事、特に山岳地帯等の道路拡幅工事などの現場において、足場をわざわざ組立てる作業を行うこともなく、少人数の作業者によって簡単な装置、手段を使い、施工・養生テントを短時間に設けることができる。また、解体作業も同様に少人数の作業者により非常に容易、かつ短時間に行うことができる効果がある。
【００１５】
また、この発明を施工する道路工事などの現場の形状や、広狭などに容易に対応でき、場所や位置の変更にも簡単に行うことができる効果がある。更に、工事途中であっても、日程や天候条件等で作業を中断する場合、シートの展開を維持して主ワイヤーの張設を解除することが極めて容易である。
【００１６】
更に、この発明の施工・養生テントは、組立てるための施工費用が非常に廉価に行うことが可能になった。
【００１７】
また、シートが斜めに設けられるため、雨水がシート上に溜まらないため、シートが下方に垂れ下がりにくい。
【発明を実施するための最良の形態】
【００１８】
この発明の施工・養生テントの実施形態について、斜視説明図を示す図１、平面説明図を示す図２、図２のＡＡ線断面を示す図３、組立て作業説明図である図４に基づいて説明する。
【００１９】
この発明の一つの実施形態である施工・養生テントは、一対のワイヤー支持部１、１と、一端側を固定し他端側にワイヤー巻取り装置２を設けるとともに一対のワイヤー支持部１、１の間に移動可能に架設される主ワイヤー３と、主ワイヤー３の上部に載置して主ワイヤー３の下方面を覆うシート４からなる。また、シート４を抑えるシート抑え部材５をシート４の上面に設けてもよいし、或は、シート４の端部に紐やロープ等のシート抑え部材５０を取り付け、そのシート抑え部材５０を鉄骨等の建築構造物に固定してシート４を固定してもよい。
【００２０】
更に、好ましい実施形態としては、主ワイヤー３とほぼ直角方向に両端を固定可能に主ワイヤー３の上部に設ける複数の補助ワイヤー６と、少なくとも一方のワイヤー支持部１に滑車７を設ける。この実施形態では、２つのワイヤー支持部１、１のそれぞれの上部に滑車７を設けており、該滑車７、７間に主ワイヤー３を移動可能に掛け渡しており、ワイヤー巻取り装置２によって、主ワイヤー３をワイヤー支持部１，１間で引っ張り張設することも、逆に緩ませて主ワイヤー３を弛ませることも可能である。
【００２１】
この実施形態では、ワイヤー支持部１、１は、２ｍ乃至４ｍくらいの長さのポール等からなる支柱からなる。ワイヤー支持部１、１のそれぞれは、２本のワイヤー支持部１、１間に掛け渡される主ワイヤー３の方向とは直角方向の両側から支柱が倒れないように支柱支持部材１０を設ける。この実施形態では支柱支持部材１０は、ロープ、チェーン、ワイヤー等の紐状体からなり、支柱上部位置や支柱中間位置の高さの異なる複数の位置、或は地面等の固定物との間で張設してそれぞれの端部を固定する。滑車７の位置は、ワイヤー支持部１、１のそれぞれ支柱上端を含む上部に設けている。主ワイヤー３の長さは、ワイヤー支持部１、１間の距離と、２つのワイヤー支持部１、１の高さの総和以上の長さである。
【００２２】
ワイヤー巻取り装置２は、この実施形態では、モータ装置からなるが、チェーンブロックなどを用いることができる。
【００２３】
シート４は、一般的に雨水、雪、風などを防ぐ能力のある素材からなるシートであればよい。この実施形態では、シート１枚の辺が３ｍと５ｍからなる長方形のシートであり、いわゆるブルーシートと称されているシートを必要な枚数使用する。また本発明は、主ワイヤー３をワイヤー巻取り装置２により張設され、それによりシート４が展開され、そのシート４の端部をペグ等５１を用いて固定することができる。
【００２４】
シート抑え部材５は、この実施形態では、シート４とは別体のロープ５からなるが、他の実施形態としてシート４の辺に結束用紐や結束用ロープ５０を固定して設けておき、この結束用紐や結束用ロープ５０をペグ等５１に結びつけて構成することも可能である。また図示するようにシート抑え部材５は、ロープ５と結束用紐や結束用ロープ５０、ペグ等５１とを共用してもよい。シート抑え部材５のロープは、主ワイヤー３の張り渡される方向とは、ほぼ直角方向にシート４の上面から抑えるように複数平行して設ける。
【００２５】
補助ワイヤー６は、主ワイヤー３と同じ素材のワイヤーであるが太さは主ワイヤー３より細くてもよい。補助ワイヤー６は、主ワイヤー３とほぼ直角方向に主ワイヤー３の上部に複数設け、それぞれ両端を地面や鉄骨等の建築構造物に固定される。
【００２６】
次に、この発明の一つの実施形態である施工・養生テントの組立作業について説明する。この発明の施工・養生テントは、道路工事、道路拡張工事等の野外の作業現場において組み立てをする。
【００２７】
最初に、一対のワイヤー支持部１、１である２本の支柱を現場のテントを張る地域の形状、広さなどを勘案して適宜な間隔をとって直立させるが、予めそれぞれの支柱に、支柱支持部材１０であるワイヤーを同じ高さの１個所以上に２本づつ取付けておく。次に、主ワイヤー３をワイヤー支持部１、１のそれぞれに滑車７、７に掛け渡し、一端側を地面或は固定物に固定するが、主ワイヤー３は、図４に示す如くワイヤー支持部１、１間で弛ませておく。このときワイヤー巻取り装置２は、主ワイヤー３の固定されない側のワイヤー支持部１より外方に配置する。
【００２８】
次に、主ワイヤー３とほぼ直角方向に、適宜数の補助ワイヤー６を数本それぞれ主ワイヤー３の上部に載置する。このとき補助ワイヤー６両端は固定していない。作業現場が非常に狭い場合は、補助ワイヤー６を設けなくてもよい。次に、主ワイヤー３と補助ワイヤー６の上方にシート４を広げて適宜数載置する。このシート４の大きさ、枚数は現場の広さや形状に対応させ適宜である。
【００２９】
更に、シート４の上から、シート抑え部材５であるロープ５を主ワイヤー３とほぼ直角の方向にして複数本設け、両端部をペグ等５１を使って地面に、または他の固定物に結束して固定する。このロープ５の設置方向は、主ワイヤー３の上を通っていれば、直角以外の角度で設けてもよい。
【００３０】
このシート４は、シート２枚以上を用いることが好ましく、それ故に雨水、雪、風によりシート４が飛ばされたり、シート４の位置がずれることを防止することができる。更に、シート４の継ぎ目の位置を覆うように上部のシート４を設けることができるので、雨水や雪、そして風の侵入をより一層防止することができる。
【００３１】
最後に、主ワイヤー３の固定されてない方に位置するワイヤー巻取り装置２により主ワイヤー３を巻き上げていき、主ワイヤー３を２本の支柱１、１間で張り渡すようにする。このとき主ワイヤー３は滑車７を通過するので移動が非常に容易かつ安全に行われ、主ワイヤー３が、支柱１、１間で張設される。主ワイヤー３が張設されたあと、支柱支持部材１０を再度主ワイヤー３の張設方向とは、ほぼ直角の両側に引っ張り固定する。
【００３２】
更に、シート４の結束用紐や結束用ロープ５０をペグ等５１に結束して固定したり、シート抑え部材５のロープ５の両端部をロープ５を張ってから固定したり、補助ワイヤー６の両端部を張ってから地面や何らかの固定物に固定する。
【００３３】
上記したような一対のワイヤー支持部１、１及び１本の主ワイヤー３を含む１つの組合わせ単位からなる施工・養生テントを作業現場の広さ、形状、必要性などを勘案して複数連続して設けてもよい。
【産業上の利用可能性】
【００３４】
この発明は、道路拡張工事等の道路工事の施工作業や施設の養生の他、アウトドアの作業や、装置などの雨、雪、風からの保護などにおいて利用することができる。
【図面の簡単な説明】
【００３５】
【図１】この発明の施工・養生テントの１つの実施形態を示す斜視説明図
【図２】同じく平面説明図
【図３】同じく図２の線断面図
【図４】同じく組立て作業説明図
【符号の説明】
【００３６】
１  ワイヤー支持部（支柱）
１０  支柱支持部材
２  ワイヤー巻取装置
３  主ワイヤー
４  シート
５  シート抑え部材（ロープ）
５０  結束用紐
５１  ペグ等
６  補助ワイヤー
７  滑車
【図１】
2006161336.tif 000003
【図２】
2006161336.tif 000004
【図３】
2006161336.tif 000005
【図４】
2006161336.tif 000006